(57)【特許請求の範囲】
【請求項１】
ドラム架台のシャフトに回転自在に中心孔を通すドラムリールにおいて、
二つのフランジが外周を成す円形部材と、夫々の中心位置に設けた筒状のボスとを、当該ボスから上記円形部材に向けて放射状に設けた複数のステーで連結して成り、
これらのフランジの間の胴部には、各フランジのステーの相応する箇所に両端を固定した棒材を、上記ボスを中心とした円周上に複数設けて、幅の狭いドラムリールとし、
このドラムリールを３個横に並べて、これらの３個のドラムリールのステーの相応する箇所にボルト孔を穿ち、
これらのボルト孔に着脱自在な構造の連結ボルトを通してその先端で、３個のドラムリールを一体に連結し、
当該各ドラムリールのフランジの間に、両端が湾曲したケーブル端末部固定ガイド板を、ドラムの胴部を成す複数の棒材の内側位置に、
当該ケーブル端末部固定ガイド板の両端の湾曲部頂部が、ドラムの胴部を成す円周上に位置するように固定したことを特徴とする、
バイパスケーブル用三線一括ドラムリール。
【発明の詳細な説明】
【技術分野】
【０００１】
この発明は、架空配電線の無停電工法におけるバイパス工法に使用するバイパスケーブル用三線一括ドラムリールに関するものである。
【背景技術】
【０００２】
架空配電線工事において、電力需要家の停電を避ける無停電工法には、活線工法とバイパス工法がある。需要家と工事箇所を活線のまま行なうのが活線工法、また、需要家には送電し、工事箇所を停電して行なう方法がバイパス工法である。バイパス工法は、バイパスケーブル、工事用開閉器、工事用変圧器などの機材を組み合わせてバイパス線路を構築するもので、機材の取り扱いの利便性が作業安全や作業効率に大きく影響する。
【０００３】
バイパスケーブルの架線は、３個（３相）のバイパスケーブル用ドラムを地上に設置し、事前に架線したワイヤーに沿ってウインチで引込む作業である。このバイパスケーブル用ドラムは、３相別々の各ドラムを用いて、作業者が夫々操作して当該ドラムに巻き付けたバイパスケーブルを繰り出したり、また、当該ドラムにバイパスケーブルを巻き付けたりしている。
【発明の開示】
【発明が解決しようとする課題】
【０００４】
しかしながら、この従来のバイパスケーブル用ドラムは、３相別々のため、作業スペース、作業者の配置、作業姿勢、ケーブル収納、車両への積載などに問題がある。すなわち、作業スペースについては、バイパスケーブルは、１個のドラムに１相分を収納する構造であるため、３相のバイパスケーブルを架線するためには３個のドラムが必要であり、３相のバイパスケーブルが干渉しないように送り出しや巻き取り作業を施工するスペースとして、作業帯の４分の１という広い設置面積を必要とする。また、作業者の配置に関しては、３相バイパスケーブルが干渉しないように巻き取り作業を行なうためには、それぞれのドラムに１名の作業者を配置し、３名の作業者が連携して作業を行なう必要がある。
【０００５】
また、バイパスケーブル用ドラムの形状が外径０．７ｍとやや小さいことから、作業者は前かがみの姿勢でバイパスケーブルの送り出しや巻き取り作業が行なわれており、腰痛の原因になっている。また、ケーブル収納については、バイパスケーブル先端には、ケーブル端末（ストレート端末）があるため、巻き取り側でケーブル接合部を屈曲させないようにする必要がある。また、巻き取り時、乱巻きしないように、手を添えて調整しなければならない。さらに、車両積載に関しては、３相別々のドラムのため、資材運搬車１台に１５ドラム（電柱５スパン分）しか積載できない。
【０００６】
この発明はこれらの点に鑑みて為されたもので、３個のドラムが互いに干渉せず、独立して回転でき、なおかつ、同期しても回転でき、一人の作業者で操作できる、コンパクトな三線一括ドラムリールを提供し、上記課題を解決しようとするものである。
【課題を解決するための手段】
【０００７】
そこで請求項１の発明は、  ドラム架台のシャフトに回転自在に中心孔を通すドラムリールにおいて、二つのフランジが外周を成す円形部材と、夫々の中心位置に設けた筒状のボスとを、当該ボスから上記円形部材に向けて放射状に設けた複数のステーで連結して成り、これらのフランジの間の胴部には、各フランジのステーの相応する箇所に両端を固定した棒材を、上記ボスを中心とした円周上に複数設けて、幅の狭いドラムリールとし、このドラムリールを３個横に並べて、これらの３個のドラムリールのステーの相応する箇所にボルト孔を穿ち、これらのボルト孔に着脱自在な構造の連結ボルトを通してその先端で、３個のドラムリールを一体に連結し、当該各ドラムリールのフランジの間に、両端が湾曲したケーブル端末部固定ガイド板を、ドラムの胴部を成す複数の棒材の内側位置に、当該ケーブル端末部固定ガイド板の両端の湾曲部頂部が、ドラムの胴部を成す円周上に位置するように固定した、バイパスケーブル用三線一括ドラムリールとした。
【発明の効果】
【０００９】
請求項１の発明によれば、各ドラムリールに３相のバイパスケーブルを夫々巻き付けることが出来るため、３相のリールを１台のドラム架台に設置でき、それ故、作業に必要なスペースを、従来の１／３にすることができる。これによりバイパス工法の作業帯の縮小が可能である。また、連結ボルトをリールに取り付けることで、３このリールが一体に回転するため、作業者１人で３相のケーブルを送り出しと、巻き取り作業が可能となった。また、連結ボルトを取り出すと単独回転も可能になり、各相のケーブル長を調整することもできる。
【００１０】
また、従来のバイパスケーブル用ドラムリールは、外径が０．７ｍであったが、これを１ｍにすれば、前屈み姿勢が緩和され、作業者の負担を軽減することが出来る。このようにリールの外径を大きくし、巻き取り径を大きくすれば、横幅を狭くしても従来の１相のケーブル巻き取り長と同長のケーブルを巻き取ることもできる。また、リールの幅を狭くしたことにより、バイパスケーブルを整理しながら巻き取る必要がなくなり、巻き取り作業の作業安全と作業時間の短縮を図ることができる。また、１リールの幅を狭くしたことにより占有面積が小さくなるため、資材運搬車１台当たり最大２１リール（電柱７スパン分）の積載が可能となり、バイパス区間が増える昨今の現場に対応できるようになった。
また、これは、当該リールの占有面積が小さくなるため、その分倉庫等での収納スペースを小さくできる。さらに、３個のリールを連結すれば、資材運搬車等への積み込み時間が短縮される。
【００１１】
また、この発明によれば、ケーブル端末部固定ガイド板を設けたことにより、当該端末部を屈曲させることなくケーブル端末を巻き取ることが出来、ケーブル端末を傷つけるおそれがない。しかも、当該ケーブル端末部固定ガイド板を、胴部を成す短い棒材の内側位置に固定しているため、ケーブル端末部を当該固定ガイド板に固定すれば、ケーブル端末部が巻き取るケーブルの内側に位置し、ケーブルの巻き取りに邪魔にならない。さらに、この発明によれば、ケーブル端末部固定ガイド板の両端の湾曲部頂部が、胴部を成す円周上に位置させているため、胴部をなす短い棒材の数を減らすことが出来、極めて効率的である。
【発明を実施するための最良の形態】
【００１２】
ドラム架台のシャフトに回転自在に中心孔を通すドラムリールにおいて、二つのフランジが外周を成す円形部材と、夫々の中心位置に設けた筒状のボスとを、当該ボスから上記円形部材に向けて放射状に設けた複数のステーで連結して成り、これらのフランジの間の胴部には、各フランジのステーの相応する箇所に両端を固定した棒材を、上記ボスを中心とした円周上に複数設けて、幅の狭いドラムリールとし、このドラムリールを３個横に並べて、これらの３個のドラムリールのステーの相応する箇所にボルト孔を穿ち、これらのボルト孔に連結ボルトを通してその先端で、３個のドラムリールを一体に連結し、さらに、各ドラムリールのフランジの間に、両端が湾曲したケーブル端末部固定ガイド板を、ドラムの胴部を成す複数の棒材の内側位置に固定したバイパスケーブル用三線一括ドラムリールを設け、３相のリールが一体に回転可能であり、また、上記連結ボルトを外すと、３相のリールが独立して回転可能である。
【実施例１】
【００１３】
以下この発明を図面に基いて詳細に説明する。
図１乃至図３はこの発明のドラムリールを示し、図１は斜視図、図２は正面図、図３は図２のＡ−Ａ´線断面図である。２つのフランジ１、１は、その外周を成す、パイプから成る円形部材２と、夫々の中心位置に設けた筒状のボス３とを、当該ボス３から上記円形部材２に向けて放射状に設けた、両側縁に段部を有する平板状の６個のステー４で連結して構成されている。また、これらのフランジ１、１の間の胴部は、各フランジ１の６個のうちの４個のステー４の相応する箇所に両端を固定した棒材５を、上記ボス３を中心とした円周上に４個設けることにより、幅の狭いドラムリールを形成している。
【００１４】
また、上記棒材５を設けていない２個のステー４に板の両端の湾曲部を固定し、中央部を他のステー４に固定したケーブル端末部固定ガイド板７を、上記２つのフランジ１、１の間であって、ドラムの胴部を成す複数の上記棒材５の内側位置に設けている。そしてこのケーブル端末部固定ガイド板７の上記両端の湾曲頂部７ａは、上記複数の棒材５から成るドラムの胴部をなす円周上に位置している。また、上記ケーブル端末部固定ガイド板７の両端部には、ケーブル端末部を係止する係止具８、８を設けている。また、上記ケーブル端末部固定ガイド板７の両端の湾曲部を固定した各ステー４の、当該湾曲部の内側に、ボルト孔９、９を夫々穿っている。
【００１５】
以上の構成のドラムリールを、各ボス３の開口部を突き合せて３個横に並べ、各ステー４の位置を合わせ、上記各ボルト孔９に、別途設けた２個の連結ボルト１０を夫々通し、３個目のドラムリールの内側のステー４の各ボルト孔９から突出した当該各ボルト１０の先端にナット１１を夫々螺着したものである。
【００１６】
この３個連結したドラムリールは図４及び図５に示すように、別途設けたドラム架台１２のシャフト１３に各ボス３を通して設置し、使用する。そして、ケーブル端末部１４は、図６に示すように、各ドラムリールのケーブル端末部固定ガイド板７に乗せ、適宜の部材で係止具８に固定し、当該ケーブル端末部１４に続くケーブル１４ａを、ケーブル端末部固定ガイド板７の両端の湾曲頂部７ａを通して上記複数の棒材５の周りに巻き付けていく。上記連結ボルト１０で連結された３個のドラムリールは一体に回転し、３相のケーブルを同時に巻き付けたり、送り出したり出来る。また、３個のドラムリールを夫々独立に回転させたい場合は、上記連結ボルト１０のナット１１を外し、ドラムリールから連結ボルト１０を外せば、各ドラムリールが独立して回転し、他のリールは干渉しない。
【００１７】
なお、上記実施例において、各ステー４の両端部等、適宜の箇所に孔を設けているが、これらの孔は、ケーブルを当該ドラムリールに止めるワイヤーやバンド等を通すものである。また、上記実施例では、３個のドラムリールを２本の連結ボルト１０で連結固定しているが、この連結ボルトは、1本でも、３本以上でも良い。また、連結ボルト１０の先端はナット９の螺着に限定することなく、連結ボルト１０の先端をステー４に着脱自在に取り付ける構造としても良い。また、連結ボルト１０の先端を図３のようにリールの内側で固定する必要はなく、取り外しやすいように外側に取り付けてもよい。
【図面の簡単な説明】
【００１８】
【図１】この発明の実施例のドラムリールの斜視図ある。
【図２】この発明の実施例のドラムリールの正面図である。
【図３】この発明の実施例のドラムリールの、図２におけるＡ−Ａ´線断面図である。
【図４】この発明の実施例のドラムリールをドラム架台に設置した状態を示す正面図である。
【図５】この発明の実施例のドラムリールをドラム架台に設置した状態を示す側面図である。
【図６】この発明の実施例のドラムリールのケーブル端末部固定ガイド板にケーブル端末部を固定した状態を示す正面図である。
【符号の説明】
【００１９】
１    フランジ
２    円形部材
３    ボス
４    ステー
５    棒材
７    ケーブル端末部固定ガイド板
８    係止具
９    ボルト孔
１０  連結ボルト
１１  ナット
１２  ドラム架台
１３  シャフト
１４  ケーブル端末部
【図１】
0004619928.tif 000002
【図２】
0004619928.tif 000003
【図３】
0004619928.tif 000004
【図４】
0004619928.tif 000005
【図５】
0004619928.tif 000006
【図６】
0004619928.tif 000007